(57)【要約】      （修正有）【課題】電気を入出力できない状態にできる蓄電装置を提供する。【解決手段】第一方向に並ぶ複数の蓄電素子と、蓄電素子の外部端子１３同士を接続するバスバとを備え、バスバは、一つの蓄電素子の外部端子１３に接続される第一接続部５５１、及び第一接続部５５１から延びる第一延設部、を有する第一部材５５と、他の蓄電素子の外部端子１３に接続される第二接続部５６１、及び第二接続部５６１から延びる第二延設部、を有する第二部材５６と、を有し、第一延設部は、第一導通面を有し、第二延設部は、第一導通面と向き合った状態で該第一導通面に離間可能に重ねられる第二導通面を有する。【選択図】図１２
2017152373.tif 000002
【特許請求の範囲】
【請求項１】
外部端子をそれぞれ有し且つ第一方向に並ぶ複数の蓄電素子と、
異なる蓄電素子の前記外部端子同士を導通させるバスバと、を備え、
前記バスバは、少なくとも、前記複数の蓄電素子のうちの所定の蓄電素子の前記外部端子に接続される第一部材と、前記複数の蓄電素子のうちの他の蓄電素子の前記外部端子に接続される第二部材と、を有し、
前記第一部材と前記第二部材とは、直接又は間接に導通して導通経路を形成し、
前記導通経路は、途中を離間又は分断可能に構成されている、蓄電装置。
【請求項２】
前記第一部材は、前記複数の蓄電素子のうちの所定の蓄電素子の前記外部端子に接続される第一接続部、及び前記第一接続部から延びる第一延設部、を有し、
前記第二部材は、前記複数の蓄電素子のうちの他の蓄電素子の前記外部端子に接続される第二接続部、及び前記第二接続部から延びる第二延設部、を有し、
前記第一延設部は、第一導通面を有し、
前記第二延設部は、前記第一導通面と向き合った状態で該第一導通面に離間可能に重ねられる第二導通面を有する、請求項１に記載の蓄電装置。
【請求項３】
前記第一導通面及び前記第二導通面のそれぞれは、第一方向を含む平面である、請求項２に記載の蓄電装置。
【請求項４】
前記第一延設部及び前記第二延設部のうちの少なくとも一方は、前記第一導通面又は前記第二導通面を含む部位より前記第一接続部に近い位置又は前記第二接続部に近い位置に、曲がっている部位を有する、請求項２又は３に記載の蓄電装置。
【請求項５】
第一方向において隣り合う前記蓄電素子の間に配置される隣接部材と、
前記隣接部材に対して取り外し可能に取り付けられる取付部材と、を備え、
前記バスバは、前記隣接部材の第一方向の両側に配置される前記蓄電素子の外部端子同士を接続し、
前記取付部材は、前記第一延設部の前記第一導通面を含む部位である第一導通部位と、前記第二延設部の前記第二導通面を含む部位である第二導通部位とを前記隣接部材に押圧し、
前記第一導通面及び前記第二導通面のそれぞれは、前記取付部材が前記第一導通部位及び前記第二導通部位を前記隣接部材に向けて押圧する方向と交差する平面である、請求項２〜４のいずれか１項に記載の蓄電装置。
【請求項６】
前記バスバは、前記隣接部材と反対の側から前記第一延設部及び前記第二延設部に対して重ねられる第三部材を有し、
前記隣接部材は、第二方向に前記バスバと重なる位置に雌ねじ部を有し、
前記取付部材は、重なっている状態の前記第一延設部と前記第二延設部と前記第三部材とを該第三部材の側から貫通した状態で前記雌ねじ部にねじ込まれている雄ねじ部を有し、
前記第三部材は、前記雄ねじ部が前記雌ねじ部にねじ込まれるときの回転方向において前記隣接部材と当接する当接部を有する、請求項５に記載の蓄電装置。
【請求項７】
前記第一導通面と前記第二導通面との間に引き抜き可能に差し込まれている絶縁部材を備える、請求項２〜６のいずれか１項に記載の蓄電装置。
【請求項８】
前記第一延設部は、前記第一導通面の端縁から延びる第一案内部を有し、
前記第二延設部は、前記第二導通面の端縁における前記第一案内部と対応する位置から延びる第二案内部を有し、
前記第一案内部と前記第二案内部との間隔は、前記第一導通面及び前記第二導通面から離れるにつれて大きくなる、請求項２〜７のいずれか１項に記載の蓄電装置。
【請求項９】
第一方向において隣り合う前記蓄電素子の間に配置される隣接部材を備え、
前記バスバは、前記第一部材と前記第二部材とを導通可能に接続する接続部材を有し、前記隣接部材の第一方向の両側に配置される前記蓄電素子の外部端子同士を接続し、
前記接続部材は、前記第一部材及び前記第二部材の少なくとも一方と離間可能に接触している、請求項１に記載の蓄電装置。
【請求項１０】
外部端子を有する蓄電素子と、
外部への電気の入出力に用いられる総端子と、
前記外部端子と前記総端子とを電気的に接続するバスバと、を備え、
前記バスバは、
前記外部端子に接続される第一接続部、及び前記第一接続部から延びる第一延設部、を有する第一部材と、
前記総端子に接続される第二接続部、及び前記第二接続部から延びる第二延設部、を有する第二部材と、
を有し、
前記第一延設部は、第一導通面を有し、
前記第二延設部は、前記第一導通面と向き合った状態で該第一導通面に離間可能に重ねられる第二導通面を有する、蓄電装置。
【発明の詳細な説明】
【技術分野】
【０００１】
本発明は、外部端子を有する蓄電素子と前記外部端子に接続されるバスバとを備える蓄電装置に関する。
【背景技術】
【０００２】
従来から、複数の電池セルを備えた組電池が知られている（特許文献１参照）。具体的に、この組電池は、正極端子及び負極端子からなる電極端子をそれぞれ有する複数の電池セルと、全ての前記電池セルを直列に結線するように電極端子間を接続する複数のバスバと、を備える。
【０００３】
前記組電池において、電気が流れる経路の一方端に位置する前記電池セルの前記正極端子が接続される前記バスバの端部が該組電池全体の総端子としての正極側端子に相当する。また、前記電気が流れる経路の他方端に位置する前記電池セルの前記負極端子が接続される前記バスバの端部が該組電池全体の総端子としての負極側端子に相当する。
【０００４】
以上の組電池では、前記バスバが前記電極端子にレーザー溶接やアーク溶接によって接続（固着）されている。このため、前記電極端子から前記バスバを容易に取り外すことができず、これにより、前記組電池においては、前記正極側端子（正極側の総端子）と前記負極側端子（負極側の総端子）とから電気の入出力が常に可能である。このため、前記組電池では、該組電池が設置等される装置等への取り付け時又は輸送時等の電気の入出力が不要な場合であっても、前記正極側端子と前記負極側端子とから電気の入出力が可能な状態が維持される。
【０００５】
前記バスバが前記電極端子に対してボルト等によって接続されている場合、該バスバは、前記電極端子から取り外し可能である。しかしながら、前記ボルト等による接続時のトルクが前記電極端子において何度も生じると、前記電池セルの気密性に影響を与える可能性がある。このため、前記電池セルの前記電極端子以外の部分で、前記組電池において前記正極側端子と前記負極側端子とから電気の入出力ができない状態にできることが望まれている。
【先行技術文献】
【特許文献】
【０００６】
【特許文献１】特開２０１３−１２０６９０号公報
【発明の概要】
【発明が解決しようとする課題】
【０００７】
そこで、本実施形態は、電気を入出力できない状態にできる蓄電装置を提供することを目的とする。
【課題を解決するための手段】
【０００８】
本実施形態の蓄電装置は、
外部端子をそれぞれ有し且つ第一方向に並ぶ複数の蓄電素子と、
異なる蓄電素子の前記外部端子同士を導通させるバスバと、を備え、
前記バスバは、少なくとも、前記複数の蓄電素子のうちの所定の蓄電素子の前記外部端子に接続される第一部材と、前記複数の蓄電素子のうちの他の蓄電素子の前記外部端子に接続される第二部材と、を有し、
前記第一部材と前記第二部材とは、直接又は間接に導通して導通経路を形成し、
前記導通経路は、途中を離間又は分断可能に構成されている。
【０００９】
かかる構成によれば、導通経路の途中を離間又は分断させることで、蓄電装置を電気の入出力できない状態にすることができる。
【００１０】
前記蓄電装置では、
前記第一部材は、前記複数の蓄電素子のうちの所定の蓄電素子の前記外部端子に接続される第一接続部、及び前記第一接続部から延びる第一延設部、を有し、
前記第二部材は、前記複数の蓄電素子のうちの他の蓄電素子の前記外部端子に接続される第二接続部、及び前記第二接続部から延びる第二延設部、を有し、
前記第一延設部は、第一導通面を有し、
前記第二延設部は、前記第一導通面と向き合った状態で該第一導通面に離間可能に重ねられる第二導通面を有してもよい。
【００１１】
かかる構成によれば、第一導通面と第二導通面とが離間可能に重ねられた状態であるため、これら第一導通面と第二導通面とを離間させることによって、蓄電装置を電気の入出力できない状態にすることができる。
【００１２】
この場合、
前記第一導通面及び前記第二導通面のそれぞれは、第一方向を含む平面であってもよい。
【００１３】
かかる構成によれば、両導通面が第二方向とそれぞれ直交する平面であるため、バスバによって外部端子同士が接続される蓄電素子の間隔（第一方向の間隔）に製造誤差等が生じても、第一導通面と第二導通面とが面接触した状態で第一方向に相対移動できる。これにより、前記製造誤差等が生じても第一導通面と第二導通面とを確実に導通（面接触）させることができる。
【００１４】
また、前記蓄電装置では、
前記第一延設部及び前記第二延設部のうちの少なくとも一方は、前記第一導通面又は前記第二導通面を含む部位より前記第一接続部に近い位置又は前記第二接続部に近い位置に、曲がっている部位を有してもよい。
【００１５】
このように曲がっている部位を有することで、バスバによって外部端子同士が接続される蓄電素子の第一方向の間隔が変化しても、前記曲がっている部位が広がる又はより曲がることで、第一部材及び第二部材における外部端子と接続している部位（第一及び第二接続部）に、前記間隔の変化に起因する応力が集中するのが抑えられる。これにより、第一部材及び第二部材において、前記間隔の変化に起因する損傷が防がれる。
【００１６】
また、前記蓄電装置では、
第一方向において隣り合う前記蓄電素子の間に配置される隣接部材と、
前記隣接部材に対して取り外し可能に取り付けられる取付部材と、を備え、
前記バスバは、前記隣接部材の第一方向の両側に配置される前記蓄電素子の外部端子同士を接続し、
前記取付部材は、前記第一延設部の前記第一導通面を含む部位である第一導通部位と、前記第二延設部の前記第二導通面を含む部位である第二導通部位とを前記隣接部材に押圧し、
前記第一導通面及び前記第二導通面のそれぞれは、前記取付部材が前記第一導通部位及び前記第二導通部位を前記隣接部材に向けて押圧する方向と交差する平面であってもよい。
【００１７】
かかる構成によれば、第一導通部位と第二導通部位とが取付部材によって隣接部材に押圧されるため、第一導通面と第二導通面とが互いに押し付けられ、これにより、蓄電装置に振動等が加わっても、第一導通部位と第二導通部位との導通状態を確実に維持できる。
【００１８】
前記蓄電装置では、
前記バスバは、前記隣接部材と反対の側から前記第一延設部及び前記第二延設部に対して重ねられる第三部材を有し、
前記隣接部材は、第二方向に前記バスバと重なる位置に雌ねじ部を有し、
前記取付部材は、重なっている状態の前記第一延設部と前記第二延設部と前記第三部材とを該第三部材の側から貫通した状態で前記雌ねじ部にねじ込まれている雄ねじ部を有し、
前記第三部材は、前記雄ねじ部が前記雌ねじ部にねじ込まれるときの回転方向において前記隣接部材と当接する当接部を有してもよい。
【００１９】
かかる構成によれば、隣接部材との間に第一部材及び第二部材を挟み込む第三部材が、雄ねじ部の回転方向において隣接部材と当接する当接部を有しているため、雄ねじ部を雌ねじ部にねじ込むときのトルクが第三部材によって第一部材及び第二部材に伝わるのを防ぐことができる。これにより、外部端子に接続されている接続部に前記トルクに起因する応力が加わるのを防ぐことができる。
【００２０】
また、前記蓄電装置では、
前記第一導通面と前記第二導通面との間に引き抜き可能に差し込まれている絶縁部材を備えてもよい。
【００２１】
かかる構成によれば、絶縁部材を第一導通面と第二導通面との間に差し込み、又は引き抜くことによって、蓄電装置から電気を入出力ができる状態とできない状態とに切り替えることができる。即ち、絶縁部材が第一導通面と第二導通面との間に差し込まれているときには、第一導通部位と第二導通部位との間の導通が遮断されて蓄電装置が電気を入出力できない状態になる一方、絶縁部材が引き抜かれているときには、第一導通部位と第二導通部位とが導通して（第一導通面と第二導通面とが面接触して）蓄電装置が電気を入出力できる状態になる。
【００２２】
また、前記蓄電装置では、
前記第一延設部は、前記第一導通面の端縁から延びる第一案内部を有し、
前記第二延設部は、前記第二導通面の端縁における前記第一案内部と対応する位置から延びる第二案内部を有し、
前記第一案内部と前記第二案内部との間隔は、前記第一導通面及び前記第二導通面から離れるにつれて大きくなってもよい。
【００２３】
かかる構成によれば、第一導通面と第二導通面とが重なっている位置に近づくにつれて第一案内部と第二案内部との間隔が小さくなっているため、第一導通面と第二導通面との間に絶縁部材等の部材を差し込むときに該部材が第一案内部と第二案内部とに案内され、これにより、第一導通面と第二導通面との間に前記部材が差し込みやすくなる。
【００２４】
前記蓄電装置では、
第一方向において隣り合う前記蓄電素子の間に配置される隣接部材を備え、
前記バスバは、前記第一部材と前記第二部材とを導通可能に接続する接続部材を有し、前記隣接部材の第一方向の両側に配置される前記蓄電素子の外部端子同士を接続し、
前記接続部材は、前記第一部材及び前記第二部材の少なくとも一方と離間可能に接触していてもよい。
【００２５】
かかる構成によれば、接続部材を第一部材及び第二部材の少なくとも一方と離間させることで導通経路が途中で分断されるため、蓄電装置を電気の入出力できない状態にすることができる。
【００２６】
また、本実施形態の蓄電装置は、
外部端子を有する蓄電素子と、
外部への電気の入出力に用いられる総端子と、
前記外部端子と前記総端子とを電気的に接続するバスバと、を備え、
前記バスバは、
前記外部端子に接続される第一接続部、及び前記第一接続部から延びる第一延設部、を有する第一部材と、
前記総端子に接続される第二接続部、及び前記第二接続部から延びる第二延設部、を有する第二部材と、
を有し、
前記第一延設部は、第一導通面を有し、
前記第二延設部は、前記第一導通面と向き合った状態で該第一導通面に離間可能に重ねられる第二導通面を有する。
【００２７】
かかる構成によれば、第一導通面と第二導通面とが離間可能に重ねられた状態であるため、これら第一導通面と第二導通面とを離間させることによって、蓄電装置を電気の入出力できない状態にすることができる。
【発明の効果】
【００２８】
以上より、本実施形態によれば、電気を入出力できない状態にできる蓄電装置を提供することができる。
【図面の簡単な説明】
【００２９】
【図１】図１は、本実施形態の係る蓄電装置の斜視図である。
【図２】図２は、前記蓄電装置の構成を一部省略した状態の分解斜視図である。
【図３】図３は、前記蓄電装置に用いられる蓄電素子の斜視図である。
【図４】図４は、前記蓄電素子の分解斜視図である。
【図５】図５は、前記蓄電装置における第一バスバ及びその周辺の拡大斜視図である。
【図６】図６は、前記蓄電装置における第一バスバ及びその周辺の分解斜視図である。
【図７】図７は、取付部材及び第三部材を取り除いた状態の第一バスバ及びその周辺の拡大斜視図である。
【図８】図８は、第二バスバの斜視図である。
【図９】図９は、端部バスバの斜視図である。
【図１０】図１０は、図１のＸ−Ｘ位置における断面図であって、端子台及びその周辺の断面図である。
【図１１】図１１は、絶縁プレートの斜視図である。
【図１２】図１２は、取付部材及び第三部材を取り外した状態で、第一部材と第二部材との間に前記絶縁プレートを差し込んだ状態の第一バスバ及びその周辺の拡大斜視図である。
【図１３】図１３は、他実施形態に係る蓄電装置における端子台及びその周辺の分解斜視図である。
【図１４】図１４は、前記端子台及びその周辺の拡大断面図である。
【図１５】図１５は、他実施形態に係る第一バスバを説明するための図である。
【図１６】図１６は、他実施形態に係る第一バスバを説明するための図である。
【図１７】図１７は、他実施形態に係る第一バスバを説明するための図である。
【図１８】図１８は、他実施形態に係る迂回部を説明するための模式図である。
【図１９】図１９は、他実施形態に係る絶縁プレートの斜視図である。
【図２０】図２０は、他実施形態に係る絶縁プレートをバスバプレートの長穴に差し込んだ状態の部分拡大斜視図である。
【図２１】図２１は、他実施形態に係る絶縁プレートの斜視図である。
【図２２】図２２は、前記絶縁プレートが中間バスバを構成する第一部材と第二部材との間に配置された状態を説明するための図である。
【図２３】図２３は、他実施形態に係る絶縁プレートが中間バスバを構成する第一部材と第二部材との間に配置された状態を説明するための図である。
【発明を実施するための形態】
【００３０】
以下、本発明の一実施形態について、図１〜図１２を参照しつつ説明する。尚、本実施形態の各構成部材（各構成要素）の名称は、本実施形態におけるものであり、背景技術における各構成部材（各構成要素）の名称と異なる場合がある。
【００３１】
蓄電装置は、図１及び図２に示すように、外部端子１３をそれぞれ有し且つ所定の方向に並ぶ複数の蓄電素子１０と、異なる蓄電素子１０の外部端子１３同士を導通させる複数のバスバ５と、を備える。また、蓄電装置１は、蓄電素子１０と隣り合う複数の隣接部材２と、複数の蓄電素子１０と複数の隣接部材２とをひとまとめに保持する保持部材３と、複数の蓄電素子１０と保持部材３との間に配置されるインシュレータ４と、を備える。本実施形態の蓄電装置１は、隣接部材２に対して取り外し可能に取り付けられる取付部材６を備える。また、蓄電装置１は、外部への電気の入出力に用いられる総端子７１（図１０参照）を有する一対の端子台７も備える。
【００３２】
複数の蓄電素子１０のそれぞれは、図３及び図４にも示すように、正極及び負極を含む電極体１１と、電極体１１を収容するケース１２と、ケース１２の外面に配置される一対の外部端子１３とを備える。
【００３３】
ケース１２は、開口を有するケース本体１２０と、ケース本体１２０の開口を塞ぐ蓋板１２１とを有する。本実施形態のケース１２は、直方体形状である。
【００３４】
ケース本体１２０は、矩形板状の閉塞部１２３と、閉塞部１２３の周縁に接続された筒状の胴部１２４と、を有する。胴部１２４は、閉塞部１２３の輪郭に沿った角筒状、即ち、扁平な角筒状である。この胴部１２４の一端は、閉塞部１２３によって閉塞され、他端は、開口する。即ち、ケース本体１２０は、扁平な有底角筒形状を有する。
【００３５】
蓋板１２１は、ケース本体１２０の開口を塞ぐ板状の部材である。具体的に、蓋板１２１は、法線方向から見て、ケース本体１２０の開口周縁部に対応した輪郭を有する。本実施形態の蓋板１２１には、一対の外部端子１３が電極体１１の各極（正極、負極）に電気的に接続された状態で取り付けられる。本実施形態の蓋板１２１では、一対の外部端子１３は、矩形の蓋板１２１の長手方向に間隔をあけて配置されている。
【００３６】
以上のケース１２は、電極体１１が内部に収容された状態で、蓋板１２１の周縁部がケース本体１２０の開口周縁部に重ねられて該ケース本体１２０の開口が塞がれ、この状態の蓋板１２１とケース本体１２０との境界部が溶接されることで構成される。
【００３７】
本実施形態の蓄電装置１では、以上のように構成される蓄電素子１０が複数配置されている。具体的には、複数の蓄電素子１０が、胴部１２４の幅広の壁部同士を対向させるように並んでいる。尚、以下の説明では、蓄電素子１０の整列する方向（胴部１２４の幅広の壁部同士が対向する方向：第一方向）を直交座標系におけるＸ軸方向とする。また、蓄電素子１０の胴部１２４の幅狭の壁部同士が対向する方向（第三方向）を直交座標系におけるＹ軸方向とし、蓄電素子１０の蓋板１２１と閉塞部１２３との対向する方向（第二方向）を直交座標系のＺ軸方向とする。これに伴い、各図面に、Ｘ軸方向、Ｙ軸方向、及びＺ軸方向のそれぞれに対応する直交座標軸を補助的に図示する。
【００３８】
隣接部材２は、Ｘ軸方向に並ぶ蓄電素子１０の間、又は蓄電素子１０と該蓄電素子１０に対してＸ軸方向に並ぶ部材（本実施形態の例では、保持部材３の一部）との間に配置される。この隣接部材２は、図２に示すように、複数種の隣接部材を含む。本実施形態の隣接部材２は、蓄電装置１のＸ軸方向の途中位置に配置される蓄電素子１０と隣り合う第一隣接部材（隣接部材）２１と、Ｘ軸方向に並ぶ複数の蓄電素子１０のうちの最も端にある蓄電素子１０と隣り合う第二隣接部材２２と、第一隣接部材２１と第二隣接部材２２との間にある蓄電素子１０と隣り合う第三隣接部材２３と、を含む。
【００３９】
第一隣接部材２１は、Ｘ軸方向に隣り合う蓄電素子１０の間に配置される。これにより、第一隣接部材２１を介してＸ軸方向に並ぶ蓄電素子１０の間に、所定の間隔（沿面距離等）が確保される。また、第一隣接部材２１は、保持部材３に連結（固定）されている。
【００４０】
具体的に、第一隣接部材２１は、蓄電素子１０（ケース本体１２０）と隣り合う本体部（以下、「第一本体部」と称する。）２１１と、第一本体部２１１と隣り合う蓄電素子１０の該第一本体部２１１に対する移動を規制する規制部（以下、「第一規制部」と称する。）２１２と、を有する。また、第一隣接部材２１は、保持部材３と係合する軸部２１３を備える。
【００４１】
第一本体部２１１は、Ｘ軸方向から見て隣り合う蓄電素子１０（ケース１２）に対応する矩形の輪郭を有し、保持部材３に第一本体部２１１を固定（連結）するための連結部２１１１と、バスバ５を支持するバスバ支持部２１１２と、を有する。また、第一本体部２１１は、Ｘ軸方向に隣り合う蓄電素子１０との間に冷却用の流体（本実施形態の例では空気）を通過させる通風路２１５を形成する。詳しくは、第一本体部２１１では、隣り合う蓄電素子１０に向けて（Ｘ軸方向に）突出すると共にＹ軸方向に延びる複数の凸部２１６が、Ｚ軸方向に間隔をあけて並ぶ。これにより、凸部２１６の先端（突出方向の先端）が隣り合う蓄電素子１０と当接することで、第一隣接部材２１と蓄電素子１０との間に通風路２１５が形成される。また、本実施形態の第一隣接部材２１では、第一本体部２１１のＸ軸方向の寸法は、第二隣接部材２２及び第三隣接部材２３における第一本体部２１１に相当する部位のＸ軸方向の寸法より大きい。
【００４２】
連結部２１１１は、第一本体部２１１のＹ軸方向の端部に設けられている。本実施形態の連結部２１１１は、第一本体部２１１のＹ軸方向の両端部にそれぞれ設けられている。この連結部２１１１は、ボルトＢが保持部材３を貫通した状態でねじ込まれる部位である。蓄電装置１では、このボルトＢの連結部２１１１へのねじ込みにより、第一本体部２１１（第一隣接部材２１）と保持部材３とが連結される。本実施形態の連結部２１１１は、第一本体部２１１のＹ軸方向の端部に埋め込まれたナットによって構成される。
【００４３】
バスバ支持部２１１２は、図５及び図６にも示すように、Ｚ軸方向における第一本体部２１１の一方（本実施形態の例では、蓄電素子１０の蓋板１２１と対応する側）の端部に設けられる。このバスバ支持部２１１２は、第一本体部２１１における前記一方の側の端面から部分的に突出した部位である。本実施形態のバスバ支持部２１１２は、第一隣接部材２１の両側に配置された蓄電素子１０の外部端子１３同士を導通させるバスバ５とＺ軸方向に重なる位置に設けられる直方体形状の部位である。このバスバ支持部２１１２は、Ｙ軸方向の両端にＺ軸方向に延びる溝２１１２Ａをそれぞれ有する。この溝２１１２Ａは、第一隣接部材２１を跨いで延びるバスバ５の一部と当接する。
【００４４】
バスバ支持部２１１２は、バスバ５を固定する固定部２１１３を含む。この固定部２１１３は、雌ねじ部である。詳しくは、固定部２１１３は、バスバ支持部２１１２の突出方向の端面においてＺ軸方向に開口する雌ねじ部である。本実施形態の固定部２１１３は、ナットである。
【００４５】
第一規制部２１２は、第一本体部２１１からＸ軸方向に延び、第一本体部２１１と隣り合う蓄電素子１０（詳しくはケース１２）とＹ−Ｚ面（Ｙ軸とＺ軸とを含む面）方向の外側から当接することによって該蓄電素子１０の第一本体部２１１に対するＹ−Ｚ面方向への相対移動を規制する。この第一規制部２１２は、第一本体部２１１の少なくとも各角部からＸ軸方向に延び、第一本体部２１１と隣り合う蓄電素子１０（ケース１２）の角部にＹ−Ｚ面方向の外側から当接する面（当接面）を有する。
【００４６】
軸部２１３は、第一本体部２１１のＹ軸方向の端から外側に向けて延び、保持部材３と係合する。本実施形態の軸部２１３は、第一本体部２１１のＹ軸方向の両端から外側に向けてそれぞれ延びている。具体的に、軸部２１３は、第一本体部２１１のＹ軸方向の端部におけるＺ軸方向の途中位置からＹ軸方向に円柱状に延び、保持部材３において該軸部２１３と対応する部位に設けられた貫通孔３１１２に挿通されている。本実施形態の軸部２１３は、蓄電装置１の製造時等において、保持部材３に第一隣接部材２１を連結（固定）するときの保持部材３に対する第一隣接部材２１の位置決め等に用いられる。
【００４７】
第二隣接部材２２は、図１及び図２に示すように、Ｘ軸方向において蓄電素子１０と保持部材３との間に配置される。これにより、第二隣接部材２２を介してＸ軸方向に並ぶ蓄電素子１０と保持部材３との間に、所定の間隔（沿面距離等）が確保される。
【００４８】
具体的に、第二隣接部材２２は、蓄電素子１０と保持部材３との間において該蓄電素子１０（ケース本体１２０）と隣り合う本体部（以下、「第二本体部」と称する。）２２１と、第二本体部２２１と隣り合う蓄電素子１０の該第二本体部２２１に対する移動を規制する規制部（以下、「第二規制部」と称する。）２２２と、を有する。
【００４９】
第二本体部２２１は、Ｘ軸方向から見て隣り合う蓄電素子１０（ケース１２）に対応する矩形の輪郭を有する。また、第二本体部２２１は、Ｘ軸方向に隣り合う蓄電素子１０との間に冷却用の流体（本実施形態の例では空気）を通過させる通風路２２５を形成する。詳しくは、第二本体部２２１では、隣り合う蓄電素子１０に向けて（Ｘ軸方向に）突出すると共にＹ軸方向に延びる複数の凸部２２６が、Ｚ軸方向に間隔をあけて並ぶ。これにより、凸部２２６の先端（突出方向の先端）が隣り合う蓄電素子１０と当接することで、第二隣接部材２２と蓄電素子１０との間に通風路２２５が形成される。
【００５０】
第二規制部２２２は、第二本体部２２１からＸ軸方向に延び、第二本体部２２１と隣り合う蓄電素子１０（詳しくはケース１２）とＹ−Ｚ面方向の外側から当接することによって該蓄電素子１０の第二本体部２２１に対するＹ−Ｚ面方向への相対移動を規制する。この第二規制部２２２は、第二本体部２２１の少なくとも各角部からＸ軸方向に延び、第二本体部２２１と隣り合う蓄電素子１０（ケース１２）の角部にＹ−Ｚ面方向の外側から当接する面（当接面）を有する。
【００５１】
第三隣接部材２３は、第一隣接部材２１と第二隣接部材２２との間において、Ｘ軸方向に隣り合う蓄電素子１０の間に配置される。これにより、第三隣接部材２３を介してＸ軸方向に並ぶ蓄電素子１０の間に、所定の間隔（沿面距離等）が確保される。
【００５２】
具体的に、第三隣接部材２３は、蓄電素子１０（ケース本体１２０）と隣り合う本体部（以下、「第三本体部」と称する。）２３１と、第三本体部２３１と隣り合う蓄電素子１０の該第三本体部２３１に対する移動を規制する規制部（以下、「第三規制部」と称する。）２３２と、を有する。
【００５３】
第三本体部２３１は、Ｘ軸方向から見て隣り合う蓄電素子１０（ケース１２）に対応する矩形の輪郭を有する。また、第一本体部２１１は、Ｘ軸方向に隣り合う蓄電素子１０との間に冷却用の流体（本実施形態の例では空気）を通過させる通風路２３５を形成する。詳しくは、第三本体部２３１は、矩形波形の断面形状を有する。これにより、第三本体部２３１が隣り合う蓄電素子１０と当接することで、該蓄電素子１０との間に通風路２３５が形成される。
【００５４】
第三規制部２３２は、第三本体部２３１からＸ軸方向に延び、第三本体部２３１と隣り合う蓄電素子１０（詳しくはケース１２）とＹ−Ｚ面方向の外側から当接することによって該蓄電素子１０の第三本体部２３１に対するＹ−Ｚ面方向への相対移動を規制する。この第三規制部２３２は、第三本体部２３１の少なくとも各角部からＸ軸方向に延び、第三本体部２３１と隣り合う蓄電素子１０（ケース１２）の角部にＹ−Ｚ面方向の外側から当接する面（当接面）を有する。
【００５５】
保持部材３は、複数の蓄電素子１０と複数の隣接部材２との周囲を囲むことで、これら複数の蓄電素子１０と複数の隣接部材２とをひとまとめに保持する。この保持部材３は、導電性を有する部材によって構成される。具体的に、保持部材３は、Ｘ軸方向において複数の蓄電素子１０が間に位置するように配置される一対の終端部材３０と、複数の蓄電素子１０とＹ軸方向に対向した状態で一対の終端部材３０同士を接続する対向部材３１と、を備える。本実施形態の蓄電装置１では、一対の終端部材３０が、Ｘ軸方向の端に配置された蓄電素子１０との間に第二隣接部材２２を挟み込んだ状態で配置され、一対の対向部材３１がＸ軸方向に並ぶ複数の蓄電素子１０のＹ軸方向の両側に配置される。
【００５６】
一対の終端部材３０のそれぞれは、Ｙ−Ｚ面方向に広がる。具体的に、一対の終端部材３０のそれぞれは、蓄電素子１０と対応する輪郭（本実施形態では矩形状の輪郭）を有する本体３００と、本体３００から第二隣接部材２２の第二本体部２２１に向けて突出し且つ該第二隣接部材２２に当接する圧接部３０１と、端子台７が取り付けられる支持片３０２と、を有する。この支持片３０２は、本体３００の輪郭を構成する四つの辺（端縁）のうちの蓄電素子１０の蓋板１２１と対応する辺から、Ｘ軸方向に延び且つＹ軸方向に長い板状の部位である。
【００５７】
一対の対向部材３１のそれぞれは、Ｘ軸方向に延び且つＺ軸方向に間隔をあけて配置される一対の梁部３１０と、Ｘ軸方向における途中位置（本実施形態の例では、第一隣接部材２１とＹ軸方向に重なる位置）において一対の梁部３１０同士を連結する第一連結部３１１と、一対の梁部３１０の端部同士を連結する一対の第二連結部３１２と、を有する。本実施形態の対向部材３１は、第一連結部３１１と第二連結部３１２との間で一対の梁部３１０を連結する第三連結部３１３も備える。
【００５８】
一対の梁部３１０のそれぞれは、Ｘ軸方向に並ぶ複数の蓄電素子１０（ケース１２）の角部に沿って延びる。第一連結部３１１は、Ｚ軸方向に延び、第一隣接部材２１の連結部２１１１及び軸部２１３と対応する位置（具体的には、Ｙ軸方向に重なる位置）に貫通孔３１１１、３１１２を有する。貫通孔３１１１には、ボルトＢが挿通され、該ボルトＢは、第一隣接部材２１の連結部２１１１にねじ込まれる。これにより、対向部材３１と第一隣接部材２１とが連結される。また、貫通孔３１１２には、第一隣接部材２１の軸部２１３が挿通される。第二連結部３１２は、Ｚ軸方向に延び、終端部材３０と連結される。これにより、終端部材３０と対向部材３１とが接続（連結）される。第三連結部３１３は、Ｙ軸方向における蓄電素子１０と重なる位置においてＺ軸方向に延びる。
【００５９】
インシュレータ４は、絶縁性を有する。このインシュレータ４は、対向部材３１と、Ｘ軸方向に並ぶ複数の蓄電素子１０との間に配置される。具体的に、インシュレータ４は、保持部材３における少なくとも複数の蓄電素子１０と対向する領域を覆う。これにより、インシュレータ４は、対向部材３１と、Ｘ軸方向に並ぶ複数の蓄電素子１０との間を絶縁する。
【００６０】
バスバ５は、金属等の導電性を有する板状の部材によって構成される。このバスバ５は、複数種のバスバを含む。本実施形態のバスバ５は、蓄電素子１０の外部端子１３同士を導通させる中間バスバ５０と、蓄電素子１０の外部端子１３と蓄電装置１の総端子７１とを導通させる端部バスバ５３と、を含む。
【００６１】
中間バスバ５０は、蓄電装置１において複数（複数の蓄電素子１０と対応する数）設けられる。これら複数の中間バスバ５０は、蓄電装置１に含まれる複数の蓄電素子１０の全てを直列に接続する（導通させる）。また、複数の中間バスバ５０は、第一隣接部材２１を介して隣り合う蓄電素子１０の外部端子１３同士を導通させる（即ち、第一隣接部材２１を跨いで接続する）第一バスバ５１と、第三隣接部材２３を介して隣り合う蓄電素子１０の外部端子１３同士を導通させる（即ち、第三隣接部材２３を跨いで接続する）第二バスバ５２と、を有する。本実施形態の蓄電装置１は、一つの第一バスバ５１と、複数の第二バスバ５２と、一対の端部バスバ５３と、を有する。
【００６２】
第一バスバ５１は、図５及び図６にも示すように、複数の蓄電素子１０のうちの所定の蓄電素子１０（以下、「第一の蓄電素子１０Ａ」と称することがある。）の外部端子１３と、複数の蓄電素子１０のうちの他の蓄電素子１０（以下、「第二の蓄電素子１０Ｂ」と称することがある。）の外部端子１３と、を導通させる。本実施形態の例では、第一の蓄電素子１０Ａは、Ｘ軸方向の一方側（図５の左側）において第一隣接部材２１と隣り合う蓄電素子であり、第二の蓄電素子１０Ｂは、Ｘ軸方向の他方側（図５の右側）において第一隣接部材２１と隣り合う蓄電素子である。即ち、第一バスバ５１は、第一隣接部材２１を介して隣り合う蓄電素子１０Ａ、１０Ｂの外部端子１３同士を接続する。この第一バスバ５１は、第一隣接部材２１との間に間隔を設けた状態（即ち、第一隣接部材２１と非接触状態）で該第一隣接部材２１を跨ぐように第一の蓄電素子１０Ａの外部端子１３と第二の蓄電素子１０Ｂの外部端子１３とを接続する。尚、第一バスバ５１が導通させる（接続する）第一の蓄電素子１０Ａ及び第二の蓄電素子１０Ｂの具体的な数は、限定されない。
【００６３】
第一バスバ５１は、少なくとも、第一の蓄電素子１０Ａの外部端子１３に接続される第一部材５５と、第二の蓄電素子１０Ｂの外部端子１３に接続される第二部材５６と、を有する。第一部材５５と第二部材５６とは、直接又は間接に導通して導通経路を形成し、該導通経路は、途中を離間又は分断可能に構成されている。本実施形態の第一バスバ５１は、第一部材５５と、第二部材５６とによって、第一の蓄電素子１０Ａの外部端子１３と第二の蓄電素子１０Ｂの外部端子１３とを導通させる導通経路を形成する。本実施形態の第一バスバ５１は、第一部材５５と、その一部が第一部材５５と重なる第二部材５６と、を有する。また、本実施形態の第一バスバ５１は、第一部材５５及び第二部材５６と重なる第三部材５７も有する。
【００６４】
第一部材５５は、第一の蓄電素子１０Ａの外部端子１３に接続される第一接続部５５１と、第一接続部５５１から延びる第一延設部５５２と、を有する。本実施形態の第一部材５５は、第一の蓄電素子１０Ａの正極の外部端子１３に接続され、矩形の板状の部材を曲げ加工等することによって形成されている。
【００６５】
第一接続部５５１は、Ｘ−Ｙ面（Ｘ軸及びＹ軸を含む面）方向に広がるＺ軸方向視が矩形の部位である。第一接続部５５１は、中央部に貫通孔５５１Ａを有する。本実施形態の第一接続部５５１は、貫通孔５５１Ａの周縁に沿って溶接されることで外部端子１３に接続される。
【００６６】
第一延設部５５２は、第二部材５６と導通する第一導通部（第一導通部位）５５３と、第一導通部５５３より第一接続部５５１側に設けられる第一迂回部５５４と、を有する。
【００６７】
第一導通部５５３は、Ｚ軸方向と交差する第一導通面５５３Ａを有する。即ち、第一導通部５５３は、第一延設部５５２における第一導通面５５３Ａを含む部位である。この第一導通部５５３は、Ｚ軸方向において第一隣接部材２１のバスバ支持部２１１２と重なる。本実施形態の第一導通部５５３は、Ｘ−Ｙ面方向に広がるＺ軸方向視が矩形状の部位であり、中央部（詳しくは、バスバ支持部２１１２の突出方向の端面においてＺ軸方向に開口する雌ねじ部（固定部２１１３）とＺ軸方向に重なる位置）に貫通孔５５３Ｂを有する。また、本実施形態の第一導通面５５３Ａは、Ｚ軸方向と直交する（即ち、第二部材５６を向いてＸ−Ｙ面方向に広がる）平面である。
【００６８】
第一迂回部５５４は、第一接続部５５１と第一導通部５５３とを接続する。即ち、第一迂回部５５４は、第一延設部５５２において、第一導通部５５３より第一接続部５５１に近い位置に配置される。この第一迂回部５５４は、曲がっている部位である。具体的に、第一迂回部５５４は、図７にも示すように、第一接続部５５１から第一導通部５５３までの全体又はその一部が、Ｙ軸方向から見て迂回するように延びている。本実施形態の第一迂回部５５４は、第一接続部５５１の端から立ち上がる（Ｚ軸方向に延びる）第一起立部５５４１と、第一起立部５５４１とＸ軸方向に間隔を空けて第一導通部５５３の端から立ち上がる（Ｚ軸方向に延びる）第二起立部５５４２と、第一起立部５５４１の先端と第二起立部５５４２の先端とを繋ぎ且つＹ軸方向から見て円弧状の湾曲部５５４３と、を有する。
【００６９】
第二部材５６は、第二の蓄電素子１０Ｂの外部端子１３に接続される第二接続部５６１と、第二接続部５６１から延びる第二延設部５６２と、を有する。本実施形態の第二部材５６は、第二の蓄電素子１０Ｂの負極の外部端子１３に接続され、第一部材５５と同様に矩形の板状の部材を曲げ加工等することによって形成されている。
【００７０】
第二接続部５６１は、Ｘ−Ｙ面方向に広がるＺ軸方向視が矩形の部位である。第二接続部５６１は、中央部に貫通孔５６１Ａを有する。この第二接続部５６１の貫通孔５６１Ａは、第一接続部５５１の貫通孔５５１Ａより大きい。本実施形態の第二接続部５６１は、貫通孔５６１Ａの周縁に沿って溶接されることで外部端子１３に接続される。
【００７１】
第二延設部５６２は、第一部材５５（詳しくは、第一導通部５５３）と導通する第二導通部（第二導通部位）５６３と、第二導通部５６３より第二接続部５６１側に設けられる第二迂回部（迂回部）５６４と、を有する。
【００７２】
第二導通部５６３は、第一導通面５５３Ａと向き合った状態で該第一導通面５５３Ａに離間可能に重ねられる第二導通面５６３Ａを有する（図６参照）。即ち、第二導通部５６３は、第二延設部５６２における第二導通面５６３Ａを含む部位である。本実施形態の第二導通部５６３は、Ｘ−Ｙ面方向に広がるＺ軸方向視が矩形状の部位であり、第一導通部５５３とＺ軸方向に重なる。この第二導通部５６３は、第一導通部５５３と同じ又は略同じ大きさであり、第一導通部５５３の貫通孔５５３Ｂ及びバスバ支持部２１１２の雌ねじ部（固定部２１１３）とＺ軸方向に重なる位置に貫通孔５６３Ｂを有する。この貫通孔５６３Ｂは、貫通孔５５３Ｂと同じ又は略同じ大きさであり、バスバ支持部２１１２の雌ねじ部（固定部２１１３）より僅かに大きい。また、本実施形態の第二導通面５６３Ａは、Ｚ軸方向と直交する平面である。
【００７３】
第二迂回部５６４は、第二接続部５６１と第二導通部５６３とを接続する。即ち、第二迂回部５６４は、第二延設部５６２において、第二導通部５６３より第二接続部５６１に近い位置に配置される。この第二迂回部５６４は、曲がっている部位である。具体的に、第二迂回部５６４は、第二接続部５６１から第二導通部５６３までの全体又はその一部が、Ｙ軸方向から見て迂回するように延びている。本実施形態の第二迂回部５６４は、第二接続部５６１の端から立ち上がる（Ｚ軸方向に延びる）第一起立部５６４１と、第一起立部５６４１とＸ軸方向に間隔を空けて第二導通部５６３の端から立ち上がる（Ｚ軸方向に延びる）第二起立部５６４２と、第一起立部５６４１の先端と第二起立部５６４２の先端とを繋ぎ且つＹ軸方向から見て円弧状の湾曲部５６４３と、を有する。
【００７４】
以上のように構成される第一部材５５及び第二部材５６は、第一導通面５５３Ａと第二導通面５６３Ａとの間に後述する絶縁プレート（絶縁部材）８（図１１参照）を差し込むときに、該絶縁プレート８を案内する案内部を有する。本実施形態の案内部は、第一延設部５５２が有する第一案内部５５５と、第二延設部５６２が有する第二案内部５６５と、を含む。
【００７５】
第一案内部５５５は、第一導通面５５３Ａの端縁から延び、第二案内部５６５は、第二導通面５６３Ａの端縁における第一案内部５５５と対応する位置から延びる。これら第一案内部５５５と第二案内部５６５との間隔（本実施形態の例では、Ｚ軸方向の間隔）は、第一導通面５５３Ａ及び第二導通面５６３Ａから離れるほど大きい。
【００７６】
本実施形態の第一バスバ５１では、第一案内部５５５が、第一導通部５５３のＹ軸方向の外側の端縁から突出する一対の突出片５５５Ａによって構成され、第二案内部５６５が、第二導通部５６３のＹ軸方向の外側の端縁から突出する一対の突出片５６５Ａによって構成される。一対の突出片５５５Ａ、５６５Ａは、Ｘ軸方向に間隔を空けて突出する。対応する（本実施形態の例では、Ｚ軸方向に重なる位置の）第一案内部５５５の突出片５５５Ａ及び第二案内部５６５の突出片５６５Ａとは、第一導通面５５３Ａ又は第二導通面５６３Ａから延び且つ第一導通面５５３Ａ及び第二導通面５６３Ａから離れるにつれてその間隔が大きくなるように湾曲する対向面５５５Ｂ、５６５Ｂをそれぞれ有する。
【００７７】
第三部材５７は、第一隣接部材２１と反対の側から第一延設部５５２と第二延設部５６２とに対して重ねられる。第三部材５７は、第一導通部５５３及び第二導通部５６３と重なる第三部材本体５７１と、第三部材本体５７１から延び且つ第一隣接部材２１と当接する当接部５７２と、を有する。
【００７８】
第三部材本体５７１は、Ｘ−Ｙ面方向に広がる板状の部位であり、第一導通部５５３及び第二導通部５６３と略同一の矩形状の輪郭を有する。第三部材本体５７１は、Ｚ軸方向において、バスバ支持部２１１２の雌ねじ部（固定部２１１３）、第一導通部５５３の貫通孔５５３Ｂ、及び第二導通部５６３の貫通孔５６３Ｂと重なる位置に、貫通孔５７１Ａを有する。この貫通孔５７１Ａは、貫通孔５５３Ｂ、５６３Ｂと同じ又は略同じ大きさであり、バスバ支持部２１１２の雌ねじ部（固定部２１１３）のねじ穴より僅かに大きい。
【００７９】
当接部５７２は、バスバ支持部２１１２の雌ねじ部（固定部２１１３）の中心軸を回転中心とする回転方向（雌ねじ部にボルト等のねじ部（本実施形態の例では、取付部材６の雄ねじ部６１）がねじ込まれるときの前記ねじ部の回転方向）において第一隣接部材２１（本実施形態の例では、バスバ支持部２１１２の溝２１１２Ａの内面）と当接する。具体的に、当接部５７２は、第三部材本体５７１におけるバスバ支持部２１１２の溝２１１２Ａと対応する位置から、該溝２１１２Ａに沿って（図５の下方に向けて）延びる。当接部５７２のＸ−Ｙ面に沿った断面形状は、溝２１１２Ａの断面形状に対応する。本実施形態の当接部５７２は、第三部材本体５７１のＹ軸方向の両端部から延びている。即ち、第三部材５７は、一対の当接部５７２を有する。
【００８０】
第二バスバ５２は、図１、図２、及び図８に示すように、Ｘ軸方向に延びる（詳しくは、Ｘ―Ｙ平面方向に広がる）略矩形の板状であり、Ｘ軸方向の両端部に二つの貫通孔５２Ａを有する。これら二つの貫通孔５２Ａの大きさは異なる。本実施形態の蓄電装置１では、第二バスバ５２の大きい貫通孔５２Ａが設けられた部位（端部）は、負極の外部端子１３に接続され、小さい貫通孔５２Ａが設けられた部位（端部）は、正極の外部端子１３に接続される。
【００８１】
一対の端部バスバ５３のそれぞれは、図１、図２、及び図９に示されるように、一方の端子台７（総端子７１）と、直列に接続された複数の蓄電素子１０の一方の極（例えば、正極）側の端部に配置された蓄電素子１０の外部端子１３と、を導通させると共に、他方の端子台７（総端子７１）と、直列に接続された複数の蓄電素子１０の他方の極（例えば、負極）側の端部に配置された蓄電素子１０の外部端子１３と、を導通させる。
【００８２】
本実施形態の端部バスバ５３は、Ｘ軸方向に延びる板状の部材であり、Ｘ軸方向の途中位置に、曲がっている部位を有する。具体的に、端部バスバ５３は、Ｙ軸方向から見て迂回するように延びる第三迂回部５３１を有する。より具体的に、端部バスバ５３は、端子台７に接続される第三接続部５３３と、蓄電素子１０の外部端子１３に接続される第四接続部５３４と、第三接続部５３３と第四接続部５３４とを接続する第三迂回部５３１と、を有する。第三接続部５３３及び第四接続部５３４は、Ｘ−Ｙ面方向に広がる矩形板状の部位である。第三接続部５３３は、貫通孔５３３Ａを有し、第四接続部５３４は、貫通孔５３４Ａを有する。貫通孔５３３Ａ、５３４Ａの大きさは異なる。本実施形態の第三迂回部５３１の構成は、第一バスバ５１の第一迂回部５５４及び第二迂回部５６４と同様である。即ち、第三迂回部５３１は、第三接続部５３３の端から立ち上がる（Ｚ軸方向に延びる）第三起立部５３１１と、第三起立部５３１１とＸ軸方向に間隔を空けて第四接続部５３４の端から立ち上がる（Ｚ軸方向に延びる）第四起立部５３１２と、第三起立部５３１１の先端と第四起立部５３１２の先端とを繋ぎ且つＹ軸方向視が円弧状の湾曲部５３１３と、を有する。
【００８３】
取付部材６は、第一隣接部材２１に、取り外し可能に取り付けられる。具体的に、取付部材６は、図５及び図６に示すように、Ｚ軸方向に重なっている第一延設部５５２と、第二延設部５６２と、第三部材本体５７１と、を第三部材５７の側から貫通した状態で第一隣接部材２１の固定部（雌ねじ部）２１１３にねじ込まれている雄ねじ部６１を有する。
【００８４】
本実施形態の取付部材６は、ボルトであり、Ｚ軸方向に延びる雄ねじ部６１と、雄ねじ部６１の端部に設けられ且つＸ−Ｙ面方向の大きさが該雄ねじ部６１より大きな頭部６２と、を有する。そして、雄ねじ部６１が第三部材本体５７１の貫通孔５７１Ａ、第二導通部５６３の貫通孔５６３Ｂ、第一導通部５５３の貫通孔５５３Ｂを挿通した状態でバスバ支持部２１１２の固定部２１１３にねじ込まれることで、頭部６２が、第三部材本体５７１、第二導通部５６３、及び第一導通部５５３をバスバ支持部２１１２に向けて押圧する。
【００８５】
端子台７は、図１、図２、及び図１０に示すように、外部機器、他の蓄電装置１等と接続される総端子７１と、保持部材３に取り付けられて総端子７１を支持する基台部７２と、を有する。また、本実施形態の端子台７は、蓄電装置１の不使用時等に総端子７１が人、他の部材等と接触するのを防ぐために総端子７１を覆う端子カバー７３も有する。本実施形態の総端子７１は、端部バスバ５３（詳しくは第三接続部５３３）が接続（固着）される板状部材７１１と、外部機器等の端子を固定するために用いられるねじ部材７１２と、を有する。
【００８６】
板状部材７１１は、導電性を有する。本実施形態の板状部材７１１は、Ｙ軸方向から見てＬ字状の部材、即ち、中間位置で屈曲している板状の部材である。具体的に、板状部材７１１は、所定の方向（本実施形態の例ではＸ軸方向）に延び且つ基台部７２を介して終端部材３０に固定される第一部位７１１１と、第一部位７１１１から前記所定の方向と交差する方向（本実施形態の例ではＺ軸方向）に延びる第二部位７１１２と、を有する。
【００８７】
ねじ部材７１２は、板状部材７１１（本実施形態の例では、第二部位７１１２）から突出する。具体的に、ねじ部材７１２は、第二部位７１１２からＸ軸方向に延びる雄ねじ部７１２１と、雄ねじ部７１２１の一端においてＹ−Ｚ面方向に広がる頭部７１２２と、を有する。
【００８８】
基台部７２は、終端部材３０に固定され、且つ板状部材７１１に対して終端部材３０が位置する側において該板状部材７１１を支持する。基台部７２は、板状部材７１１の第二部位７１１２を貫通する雄ねじ部７１２１（ねじ部材７１２）が間に位置するように互いに対向する一対の側壁部７２１を有する。一対の側壁部７２１のＺ軸方向の端部（図１０における上端部）において、端子カバー７３がＹ軸方向に延びる所定の軸Ｃを回転中心に回動可能に取り付けられている。この端子カバー７３が閉じた状態（一対の側壁部７２１の端縁間に掛け渡された状態）では、一対の側壁部７２１と該端子カバー７３とによって総端子７１（詳しくは、板状部材７１１の第二部位７１１２及びねじ部材７１２）が囲われる。一方、端子カバー７３が開いた状態（所定の軸Ｃを回転中心にして回動した状態：図２、図１０の二点鎖線参照）では、ねじ部材７１２）の先端側が開放された状態となる。
【００８９】
以上のように構成される蓄電装置１では、輸送の際又は該蓄電装置１が搭載された機器等のメンテナンスの際等、電気の入出力が不要な際ときに総端子７１から電気の入出力ができないように、絶縁プレート（絶縁部材）が取り付けられる。
【００９０】
絶縁プレートは、絶縁性を有し、第一導通部５５３の第一導通面５５３Ａと第二導通部５６３の第二導通面５６３Ａとの間である導通面間に差し込み可能な形状を有する。図１１に示すように、本実施形態の絶縁プレート８は、板状の部材である。
【００９１】
この絶縁プレート８は、図１２に示すように、取付部材６及び第三部材５７が取り外された状態で、第一部材５５の第一導通面５５３Ａと第二部材５６の第二導通面５６３Ａとの間に差し込まれる。これにより、一対の総端子７１間を繋ぐ電気経路が第一バスバ５１の位置で遮断されるため、蓄電装置１において一対の総端子７１から電気の入出力ができない状態となる。
【００９２】
一方、蓄電装置１を使用する際には、絶縁プレート８が第一導通面５５３Ａと第二導通面５６３Ａとの間から引き抜かれ、第三部材５７が第一導通部５５３及び第二導通部５６３に重ねられた状態で取付部材６の雄ねじ部６１がバスバ支持部２１１２の固定部２１１３にねじ込まれる（図５参照）。これにより、第一部材５５と第二部材５６とが導通し、蓄電装置１において一対の総端子７１から電気の入出力ができる状態になる。
【００９３】
以上の蓄電装置１によれば、第一部材５５と第二部材５６とが対応する外部端子１３にそれぞれ接続（本実施形態の例では、溶接）されているが、第一導通面５５３Ａと第二導通面５６３Ａとが離間可能に重ねられた状態であるため、これら第一導通面５５３Ａと第二導通面５６３Ａとを離間させることによって、蓄電装置１を電気の入出力できない状態にすることができる。
【００９４】
本実施形態の蓄電装置１では、第一導通面５５３Ａ及び第二導通面５６３Ａのそれぞれが、Ｚ軸方向と直交する（Ｘ軸を含む）平面である。このため、第一バスバ５１によって外部端子１３同士が接続される蓄電素子１０の間隔（Ｘ軸方向の間隔）に製造誤差等が生じても、第一導通面５５３Ａと第二導通面５６３Ａとが面接触した状態でＸ軸方向に相対移動できる。このため、前記製造誤差等が生じていても、第一導通面５５３Ａと第二導通面５６３Ａとを無理に面接触させることに起因する応力を生じさせることなく、第一導通面５５３Ａと第二導通面５６３Ａとを確実に導通（面接触）させることができる。
【００９５】
また、本実施形態の蓄電装置１では、第一部材５５が第一迂回部（曲がっている部位）５５４を有し、第二部材５６が第二迂回部（曲がっている部位）５６４を有している。このため、第一バスバ５１によって外部端子１３同士が接続される蓄電素子１０のＸ軸方向の間隔が変化しても、第一迂回部５５４及び第二迂回部５６４が広がる又は狭まる（詳しくは、湾曲部５５４３、５６４３が伸び縮みして（湾曲部５５４３、５６４３の曲率が小さく又は大きくなって）第一起立部５５４１、５６４１及び第二起立部５５４２、５６４２が広がる又は狭まる）。これにより、第一部材５５及び第二部材５６における外部端子１３と接続されている部位（第一接続部５５１、第二接続部５６１及びその周辺）に、前記間隔の変化に起因する応力が集中するのが抑えられる。これにより、第一部材５５及び第二部材５６において、前記間隔の変化に起因する損傷が防がれる。
【００９６】
また、本実施形態の蓄電装置１では、取付部材６が、第一導通部５５３と、第二導通部５６３とを第一隣接部材２１（本実施形態の例では、バスバ支持部２１１２）に押圧している。このため、第一導通面５５３Ａと第二導通面５６３Ａとが互いに押し付けられ、これにより、蓄電装置１に振動等が加わっても、第一導通部５５３と第二導通部５６３との導通状態が確実に維持される。
【００９７】
本実施形態の蓄電装置１では、第一隣接部材２１との間に第一部材５５及び第二部材５６を挟み込む第三部材５７が、取付部材６の雄ねじ部６１の回転方向において第一隣接部材２１（詳しくは、バスバ支持部２１１２における溝２１１２Ａの内面）と当接する当接部５７２を有している。このため、雄ねじ部６１をバスバ支持部２１１２の固定部（雌ねじ部）２１１３にねじ込むときのトルクが第三部材５７によって第一部材５５及び第二部材５６に伝わるのを防ぐことができる。これにより、外部端子１３に接続されている第一接続部５５１及び第二接続部５６１に前記トルクに起因する応力が加わるのを防ぐことができる。
【００９８】
また、本実施形態の蓄電装置１では、取付部材６の雄ねじ部６１が、第一導通部５５３と第二導通部５６３と第三部材５７（詳しくは、第三部材本体５７１）とを貫通している。このため、第一導通面５５３Ａと第二導通面５６３Ａとが面接触した状態で重なる第一導通部５５３と第二導通部５６３とが取付部材６によって第一隣接部材２１と第三部材５７との間で締め込まれる。これにより、第一導通部５５３（第一導通面５５３Ａ）と第二導通部５６３（第二導通面５６３Ａ）とがより強固に密着する。
【００９９】
また、本実施形態の蓄電装置１では、第一導通面５５３Ａと第二導通面５６３Ａとの間に引き抜き可能に差し込まれる絶縁プレート８が用いられる。この絶縁プレート８を第一導通面５５３Ａと第二導通面５６３Ａとの間に差し込み、又は引き抜くことによって、蓄電装置１において、総端子７１から電気を入出力ができる状態とできない状態とに切り替えることができる。即ち、絶縁プレート８が第一導通面５５３Ａと第二導通面５６３Ａとの間に差し込まれているときには、第一導通部５５３と第二導通部５６３との間の導通が遮断されて蓄電装置１が電気を入出力できない状態になる。一方、絶縁プレート８が引き抜かれているときには、第一導通部５５３と第二導通部５６３とが導通して（第一導通面５５３Ａと第二導通面５６３Ａとが面接触して）蓄電装置１が電気を入出力できる状態になる。
【０１００】
また、本実施形態の蓄電装置１では、第一バスバ５１において、第一案内部５５５と第二案内部５６５との間隔が、第一導通面５５３Ａ及び第二導通面５６３Ａから離れるに伴って大きくなっている、即ち、第一導通面５５３Ａと第二導通面５６３Ａとが重なっている位置に近づくにつれて第一案内部５５５と第二案内部５６５との間隔が小さくなっている。このため、第一導通面５５３Ａと第二導通面５６３Ａとの間に絶縁プレート８を差し込むときに、該絶縁プレート８が第一案内部５５５と第二案内部５６５とに案内され、これにより、第一導通面５５３Ａと第二導通面５６３Ａとの間に絶縁プレート８が差し込みやすくなる。
【０１０１】
尚、本発明の蓄電装置、及び絶縁部材は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【０１０２】
上記実施形態の蓄電装置１では、第一バスバ５１の第一部材５５と第二部材５６とを接離させることで、総端子７１から電気を入出力できる状態とできない状態とに切り替えるが、この構成に限定されない。例えば、蓄電装置１において、端部バスバ５３が複数の部材を有し、これら複数の部材の接離によって総端子７１から電気を入出力できる状態とできない状態とに切り替える構成であってもよい。
【０１０３】
具体的には、図１３及び図１４に示すように、端部バスバ５３Ａが、外部端子１３に接続される第一接続部９１１、及び第一接続部９１１から延びる第一延設部９１２、を有する第一部材９１と、総端子７１に接続される第二接続部９２１、及び第二接続部９２１から延びる第二延設部９２２、を有する第二部材９２と、を備える。そして、第一延設部９１２が、Ｚ軸方向と交差する第一導通面９１３Ａを有し、第二延設部９２２が、第一導通面９１３Ａと向き合った状態で該第一導通面９１３Ａに離間可能に重ねられる第二導通面９２２Ａを有する。より詳しくは、以下の通りである。
【０１０４】
端子台７の基台部７２は、Ｚ軸方向の端部バスバ５３側の端面から突出するバスバ支持部７２２を有する。
【０１０５】
バスバ支持部７２２は、総端子７１と蓄電素子１０の外部端子１３とを導通させる端部バスバ５３とＺ軸方向に重なる位置に設けられる直方体形状の部位である。このバスバ支持部７２２は、端部バスバ５３を固定する固定部７２３を含む。本実施形態の固定部７２３は、雌ねじ部である。詳しくは、固定部７２３は、バスバ支持部７２２の突出方向の端面においてＺ軸方向に開口する雌ねじ部である。本実施形態の固定部７２３は、ナットである。
【０１０６】
端部バスバ５３Ａは、終端部材３０と隣り合う蓄電素子１０の外部端子１３に接続される第一部材９１と、総端子７１に接続され且つその一部が第一部材９１と重なる第二部材９２と、を有する。また、端部バスバ５３Ａは、第一部材９１及び第二部材９２と重なる第三部材９３も有する。
【０１０７】
第一部材９１は、Ｘ−Ｙ面方向に広がる矩形の板状の部材である。第一部材９１のＹ軸方向の寸法は、バスバ支持部７２２のＹ軸方向の寸法と対応する。第一部材９１は、蓄電素子１０の外部端子１３に接続される第一接続部９１１と、第一接続部９１１から延びる第一延設部９１２と、を有する。
【０１０８】
第一接続部９１１は、貫通孔９１１Ａを有する。第一接続部９１１は、貫通孔９１１Ａの周縁に沿って溶接されることで外部端子１３に接続される。
【０１０９】
第一延設部９１２は、第二部材９２と導通する第一導通部９１３と、第一導通部９１３より第一接続部９１１側に設けられる第三迂回部（迂回部）９１４と、を有する。
【０１１０】
第一導通部９１３は、Ｚ軸方向と交差する第一導通面９１３Ａを有する。即ち、第一導通部９１３は、第一延設部９１２における第一導通面９１３Ａを含む部位である。この第一導通部９１３は、Ｚ軸方向において終端部材３０のバスバ支持部７２２と重なる。本実施形態の第一導通部９１３は、バスバ支持部７２２の突出方向の端面においてＺ軸方向に開口する雌ねじ部（固定部７２３）とＺ軸方向に重なる位置に貫通孔９１３Ｂを有する。第一導通面９１３Ａは、Ｚ軸方向と直交する（即ち、第二部材９２を向いてＸ−Ｙ面方向に広がる）平面である。
【０１１１】
第三迂回部９１４は、第一接続部９１１と第一導通部９１３とを接続する。即ち、第三迂回部９１４は、第一延設部９１２において、第一導通部９１３より第一接続部９１１に近い位置に配置される。この第三迂回部９１４は、曲がっている部位である。具体的に、第三迂回部９１４は、第一接続部９１１から第一導通部９１３までの全体又はその一部が、Ｘ軸方向から見て迂回するように延びている。この第三迂回部９１４は、上記実施形態における端部バスバ５３の第三迂回部５３１と同じ構成である。即ち、第三迂回部９１４は、第一接続部９１１の端から立ち上がる（Ｚ軸方向に延びる）第三起立部９１４１と、第三起立部９１４１とＸ軸方向に間隔を空けて第一導通部９１３の端から立ち上がる（Ｚ軸方向に延びる）第四起立部９１４２と、第三起立部９１４１の先端と第四起立部９１４２の先端とを繋ぎ且つＹ軸方向から見て円弧状の湾曲部９１４３と、を有する。
【０１１２】
第二部材９２は、矩形の板状の部材であり、総端子７１に接続される第二接続部９２１と、第二接続部９２１から延びる第二延設部９２２と、を有する。第二部材９２のＹ軸方向の寸法は、バスバ支持部７２２のＹ軸方向の寸法と対応する。この第二部材９２は、総端子７１と一体的に形成されることで、総端子７１に接続している。
【０１１３】
第二延設部９２２は、第一導通面９１３Ａと向き合った状態で該第一導通面９１３Ａに離間可能に重ねられる第二導通面９２２Ａを有する。本実施形態の第二延設部９２２は、第一導通部９１３とＺ軸方向に重なる。この第二延設部９２２は、第一導通部９１３の貫通孔９１３Ｂ及びバスバ支持部７２２の雌ねじ部（固定部７２３）とＺ軸方向に重なる位置に貫通孔９２２Ｂを有する。この貫通孔９２２Ｂは、貫通孔９１３Ｂと同じ又は略同じ大きさであり、バスバ支持部７２２の雌ねじ部（固定部７２３）より僅かに大きい。また、この第二導通面９２２Ａは、Ｚ軸方向と直交する平面である。
【０１１４】
以上のように構成される第一部材９１及び第二部材９２は、第一導通面９１３Ａと第二導通面９２２Ａとの間に絶縁プレート（絶縁部材）８（図１１参照）を差し込むときに、該絶縁プレート８を案内する案内部を有する。この案内部は、第一延設部９１２が有する第一案内部９１５と、第二延設部９２２が有する第二案内部９２５と、を含む。
【０１１５】
第一案内部９１５は、第一導通面９１３Ａの端縁から延び、第二案内部９２５は、第二導通面９２２Ａの端縁における第一案内部９１５と対応する位置から延びる。これら第一案内部９１５と第二案内部９２５との間隔は、第一導通面９１３Ａ及び第二導通面９２２Ａから離れるほど大きい。
【０１１６】
第三部材９３は、基台部７２と反対の側から第一延設部９１２と第二延設部９２２とに対して重ねられる。第三部材９３は、第一導通部９１３及び第二延設部９２２と重なる第三部材本体９３１と、第三部材本体９３１から延び且つ終端部材３０に対して固定される基台部７２と当接する当接部９３２と、を有する。
【０１１７】
第三部材本体９３１は、Ｘ−Ｙ面方向に広がる板状の部位である。第三部材本体９３１のＹ軸方向の寸法は、第一導通部９１３及び第二延設部９２２のＹ軸方向の寸法と対応する。第三部材本体９３１は、Ｚ軸方向において、バスバ支持部７２２の雌ねじ部（固定部７２３）、第一導通部９１３の貫通孔９１３Ｂ、及び第二延設部９２２の貫通孔９２２Ｂと重なる位置に、貫通孔９３１Ａを有する。この貫通孔９３１Ａは、貫通孔９１３Ｂ、９２２Ｂと同じ又は略同じ大きさであり、バスバ支持部７２２の雌ねじ部（固定部７２３）のねじ穴より僅かに大きい。
【０１１８】
当接部９３２は、バスバ支持部７２２の雌ねじ部（固定部７２３）の中心軸を回転中心とする回転方向において基台部７２（図１３及び図１４に示す例では、バスバ支持部７２２のＹ軸方向における側面）と当接する。具体的に、当接部９３２は、第三部材本体９３１におけるバスバ支持部７２２の前記側面と対応する位置から、該側面に沿って（図１３の下方に向けて）延びる。当接部９３２は、第三部材本体９３１のＹ軸方向の両端部からそれぞれ延びている。
【０１１９】
総端子７１の板状部材７１１は、上述のように、第二部材９２と一体的に形成されている。即ち、Ｙ軸方向から見て中間位置で屈曲する矩形状の板部材において、Ｘ−Ｙ面方向に広がる部位が第二部材９２を構成し、Ｙ−Ｚ面方向に広がる部位が板状部材７１１を構成する。
【０１２０】
以上の構成によっても、第一部材９１が外部端子１３に接続されると共に第二部材９２が総端子７１に接続されているが、第一導通面９１３Ａと第二導通面９２２Ａとが離間可能に重ねられた状態であるため、これら第一導通面９１３Ａと第二導通面９２２Ａとを離間させることによって、蓄電装置１を電気の入出力できない状態にすることができる。また、上記実施形態の蓄電装置１において得られる各種の効果も、この構成の蓄電装置（端部バスバ５３が複数の部材で構成される蓄電装置）から得られる。また、この蓄電装置１の端子台７においても、取付部材６及び第三部材９３を取り外すことで、絶縁プレート８を第一導通面９１３Ａと第二導通面９２２Ａとの間に引き抜き可能に差し込むことができる。
【０１２１】
また、上記実施形態の第一バスバ５１は、第一部材５５と第二部材５６との二つの部材によって構成されているが、この構成に限定されない。例えば、第一バスバ５１は、図１５に示すように、第一部材５５と第二部材５６とを含む三つ以上の部材によって、異なる蓄電素子１０の外部端子１３同士を導通させる導通経路αを形成してもよい。具体的には、第一バスバ５１は、第一部材５５と、第二部材５６と、第一部材５５と第二部材５６とを導通可能に接続する接続部材５８と、を有してもよい。接続部材５８は、図１５に示す例では、第一方向に長い矩形板状の導電性を有する部材である。この接続部材５８は、該接続部材５８の長手方向（第一方向）の両端と第一隣接部材２１との間に、第一部材５５の第一導通部５５３と、第二部材５６の第二導通部５６３とを挟み込むように、ボルト等の締結部材（又は固定部材）５９によって第一隣接部材２１に固定される。図１５に示す例では、接続部材５８における該接続部材５８と第一隣接部材２１との間に第一導通部５３３と第二導通部５６３とが存在していない領域（部位）を、締結部材５９が貫通しているが、図１６に示すように、接続部材５８における該接続部材５８と第一導通部５５３とが重なる領域、及び該接続部材５８と第二導通部５６３とが重なる領域のそれぞれを締結部材５９が貫通する構成等でもよい。
【０１２２】
また、図１５及び図１６に示す例では、接続部材５８と第一部材５５、及び接続部材５８と第二部材５６とは、厚み方向に重なることによって互いに導通しているが、この構成に限定されない。図１７に示すように、接続部材５８の端部と第一部材５５の端部、及び接続部材５８の端部と第二部材５６の端部とが接触する（いわゆる突き合わせとなる）ことによって互いに導通してもよい。即ち、接続部材５８と第一部材５５及び第二部材５６とは、導通可能に接触していればよい。
【０１２３】
また、蓄電装置１は、例えば、図１７の構成において接続部材５８を無くした構成、即ち、締結部材５９等の導電性を有する部材によって第一部材５５の端部と第二部材５６の端部とを第一隣接部材２１に固定し、この導電性を有する部材によって第一部材５５と第二部材５６とを導通させる構成であってもよい。
【０１２４】
また、図１５〜図１７に示す例では、接続部材５８は、一つの部材であるが、複数の部材（導電性を有する部材）によって構成されていてもよい。
【０１２５】
上記実施形態の蓄電装置１では、第一バスバ５１が第一迂回部５５４及び第二迂回部５６４を有しているが、この構成に限定されない。第一バスバ５１は、迂回部のない構成でもよく、第一迂回部５５４及び第二迂回部５６４のいずれか一方のみを有する構成でもよい。
【０１２６】
また、バスバ５に設けられる迂回部の具体的な構成は、限定されない。上記実施形態の第一〜第三迂回部５５４、５６４、５３１は、Ｙ軸方向から見てＺ軸方向に突出するように迂回して延びているが、例えば、図１８に示すように、Ｘ軸方向に突出するように迂回して延びる構成等でもよい。また、迂回部は、複数回突出するように迂回して延びる構成でもよい。即ち、迂回部は、１又は複数の屈曲部、湾曲部等を含むことで、バスバ５によって接続される蓄電素子１０のＸ軸方向の間隔が変化したときに、この変化を吸収してバスバ５と外部端子１３との接続部位に応力が集中するのを防ぐ構成であればよい。
【０１２７】
また、上記実施形態及び上記の他実施形態の蓄電装置１では、第一バスバ５１及び端部バスバ５３Ａが第一〜第三部材５１〜５３、９１〜９３を有しているが、この構成に限定されない。第一バスバ５１及び端部バスバ５３Ａは、例えば、第一部材５５、９１及び第二部材５６、９２のみ、即ち、第三部材５７、９３のない構成でもよい。かかる構成によっても、取付部材６が配置されることで第一導通面５５３Ａ、９１３Ａと第二導通面５６３Ａ、９２２Ａとが互いに押し付けられるため、蓄電装置１に振動等が加わっても、第一部材５５、９１と第二部材５６、９２との導通状態を確実に維持できる。
【０１２８】
また、上記実施形態の蓄電装置１では、取付部材６が第一導通部５５３及び第二導通部５６３を貫通しているが、この構成に限定されない。取付部材６は、第一導通部５５３及び第二導通部５６３を第一隣接部材２１に押圧する構成であれば、第一部材５５及び第二部材５６の他の部位を貫通してもよく、第一部材５５及び第二部材５６を貫通しなくてもよい。
【０１２９】
上記実施形態の絶縁プレート（絶縁部材）８は、矩形の板状であるが、この構成に限定されない。例えば、図１９に示すように、絶縁プレート８Ａは、第一導通面５５３Ａと第二導通面５６３Ａとの間である導通面間に差し込み可能な板状の本体８１と、本体８１から突出する突出部８２と、を備える構成でもよい。尚、図１９に示す例では、突出部８２は、円筒状であるが、この構成に限定されない。突出部８２は、中空でなく、中実であってもよい。また、突出部８２は、角柱等の他の断面形状を有する柱状でもよい。
【０１３０】
この場合、導通面５５３Ａ、５６３Ａ間への差し込み方向における本体８１の寸法が、該差し込み方向における第一導通面５５３Ａの寸法及び第二導通面５６３Ａの寸法の少なくとも一方の寸法より大きく、突出部８２が、本体８１が導通面５５３Ａ、５６３Ａ間に差し込まれたときに該本体８１における導通面５５３Ａ、５６３Ａ間から突き出る部位に配置される。
【０１３１】
また、この場合、図２０に示すように、蓄電装置１が、バスバ５を保持するバスバプレート１００を備え、バスバプレート１００は、第一導通面５５３Ａと第二導通面５６３Ａとが重なっている位置と対応する位置（図２０に示す例では、Ｙ軸方向に重なる位置）に長穴１０１等を有すると共に、突出部８２と係合する係合部１０２を有する。長穴１０１は、絶縁プレート８の本体８１を挿通可能な大きさであり、係合部１０２は、絶縁プレート８が長穴１０１に差し込まれたときに突出部８２が所定の大きさ以上の力によって押し込まれることで、該突出部８２と係合する。この係合部１０２の具体的な構成は限定されない。即ち、係合部１０２は、絶縁プレート８を引き抜き可能に突出部８２と係合する構成であればよい。
【０１３２】
かかる構成によれば、第一部材５５と第二部材５６とを有するバスバ５の第一導通面５５３Ａと第二導通面５６３Ａとの間に本体８１を差し込んだときに突出部８２を蓄電装置１（具体的には、バスバプレート１００の係合部１０２）に係合させることで、第一導通面５５３Ａと第二導通面５６３Ａとの間から絶縁プレート８の本体８１が抜け落ち難くなる。これにより、絶縁プレート８が取り付けられた蓄電装置１に対し、揺れ、振動等が加わっても、蓄電装置１の電気の入出力できない状態を維持することができる。尚、蓄電装置１において絶縁プレート８の突出部８２を係合させる部位（部材）は、バスバプレート１００に限定されず、蓄電装置１の一部であればよい。即ち、係合部１０２は、蓄電装置１において、バスバプレート以外の他の部位（部材）に設けられてもよい。
【０１３３】
また、例えば図２１及び図２２に示すように、絶縁プレート８Ｂは、第一導通面５５３Ａと第二導通面５６３Ａとの間である導通面間に差し込み可能な板状の本体８１と、本体８１の一方の端部（本体８１が導通面５５３Ａ、５６３Ａ間に差し込まれた状態においてＸ軸方向の第一部材５５側の端部）から本体８１の一方の面側（図２２における上方）に延びる第一凸部８３と、本体８１の他方の端部（本体８１が導通面５５３Ａ、５６３Ａ間に差し込まれた状態においてＸ軸方向の第二部材５６側の端部）から本体８１の他方の面側（図２２における下方）に延びる第二凸部８４と、を有してもよい。この場合、第一凸部８３は、第二導通面５６３Ａを含む第二導通部５６３の第一部材５５側の端面（図２２における左端の端面）と該端面と対向する部材（部位）との間を遮るように本体８１から延びる。第二凸部８４は、第一導通面５５３Ａを含む第一導通部５５３の第二部材５６側の端面（図２２における右端の端面）と該端面と対向する部材（部位）との間を遮るように本体８１から延びる。ここで、第一凸部８３及び第二凸部８４は、図２１に示す例では板状であるが、この構成に限定されず、例えば図２３に示すように、本体８１のＸ軸方向の端部の厚さ寸法を他の部位の厚さ寸法より大きくすること等によって第一凸部８３及び第二凸部８４を形成してもよい。また、図２１に示す絶縁プレート８Ｂでは、第一凸部８３及び第二凸部８４は、本体８１のＸ軸方向の端縁の延びる方向（Ｙ軸方向）に連続しているが、この構成に限定されず、第一凸部８３及び第二凸部８４は、前記端縁の延びる方向に断続であってもよい。
【０１３４】
これらの構成によれば、第一部材５５と第二部材５６とが外部端子１３に接続されている蓄電素子１０同士の間隔（Ｘ軸方向の間隔）が小さくなったときに、第一導通部５５３の第二部材５６側の先端の該先端とＸ軸方向に対向する部位（図２２に示す例では、第一起立部５６４１）への当接が第二凸部８４によって阻害されると共に、第二導通部５６３の第一部材５５側の先端の該先端とＸ軸方向に対向する部位（図２２に示す例では、第二起立部５５４２）への当接が第一凸部８３によって阻害される。これにより、前記蓄電素子１０同士の間隔が小さくなっても、第一導通部５５３が第二部材５６に当接することが確実に防がれると共に、第二導通部５６３が第一部材５５に当接することが確実に防がれる。
【０１３５】
上記実施形態の蓄電装置１は、端子台７を備えているが、この構成に限定されない。蓄電装置１は、端子台７を備えない構成でもよい。この場合、複数のバスバ５によって直列に接続された複数の蓄電素子１０において、電流経路の最も端（正極側の端、及び負極側の端）に位置する外部端子１３に接続されたバスバ５が総端子として機能する。
【０１３６】
上記実施形態の蓄電装置１では、第一導通面５５３Ａと第二導通面５６３Ａとが離間可能に重ねられている第一バスバ５１が、第一隣接部材２１を介して隣り合う蓄電素子１０の外部端子１３同士を接続している（導通させている）が、この構成に限定されない。第一バスバ５１は、例えば、第二隣接部材２２を介して隣り合う蓄電素子１０の外部端子１３同士を接続してもよい。
【０１３７】
上記実施形態の蓄電装置１では、第一バスバ５１が、二つの外部端子１３を互いに接続している（導通させている）が、この構成に限定されない。第一バスバ５１は、三つ以上の外部端子１３を互いに接続してもよい。例えば具体的に、第一部材５５がＸ軸方向における第一隣接部材２１の一方側において二つ以上の外部端子１３に接続されてもよく、第二部材５６がＸ軸方向における第一隣接部材２１の他方側において二つ以上の外部端子１３に接続されてもよい。
【０１３８】
上記実施形態又は上記の他実施形態の蓄電装置１では、第一導通面５５３Ａ、９１３Ａと第二導通面５６３Ａ、９２２Ａとが離間可能に重ねられたバスバ５が、隣接部材２を介して隣り合う蓄電素子１０の外部端子１３同士、又は隣接部材２を介して隣り合う総端子７１と蓄電素子１０の外部端子１３とを接続しているが、この構成に限定されない。第一導通面５５３Ａ、９１３Ａと第二導通面５６３Ａ、９２２Ａとが離間可能に重ねられたバスバ５は、隣接部材２が間に位置することなく隣り合う蓄電素子１０の外部端子１３同士を接続する（導通させる）構成でもよい。
【０１３９】
上記実施形態の蓄電装置１では、バスバ５を蓄電素子１０の外部端子１３に溶接によって接続（固着）しているが、この構成に限定されない。例えば、蓄電素子１０の外部端子をボルトによって構成し（換言すると、ボルト端子型の蓄電素子を用い）、このボルト型の外部端子をバスバ５に貫通させた状態で該外部端子にナットを螺合させることで、バスバ５を外部端子に接続（固定）する構成であってもよい。即ち、バスバ５が、蓄電素子１０の外部端子に取り外し可能に固定（接続）されていてもよい。
【符号の説明】
【０１４０】
１…蓄電装置、２…隣接部材、２１…第一隣接部材（隣接部材）、２１１…第一本体部、２１１１…連結部、２１１２…バスバ支持部、２１１２Ａ…溝、２１１３…固定部、２１２…第一規制部、２１３…軸部、２１５…通風路、２１６…凸部、２２…第二隣接部材、２２１…第二本体部、２２２…第二規制部、２２５…通風路、２２６…凸部、２３…第三隣接部材、２３１…第三本体部、２３２…第三規制部、２３５…通風路、３…保持部材、３０…終端部材、３００…本体、３０１…圧接部、３０２…支持片、３１…対向部材、３１０…梁部、３１１…第一連結部、３１１１、３１１２…貫通孔、３１２…第二連結部、３１３…第三連結部、４…インシュレータ、５…バスバ、５０…中間バスバ、５１…第一バスバ、５２…第二バスバ、５２Ａ…貫通孔、５３、５３Ａ…端部バスバ、５３１、９１４…第三迂回部、５３１１、９１４１…第三起立部、５３１２、９１４２…第四起立部、５３１３、９１４３…湾曲部、５３３…第三接続部、５３３Ａ…貫通孔、５３４…第四接続部、５３４Ａ…貫通孔、５５、９１…第一部材、５５１、９１１…第一接続部、５５１Ａ、９１１Ａ…貫通孔、５５２、９１２…第一延設部、５５３、９１３…第一導通部、５５３Ａ、９１３Ａ…第一導通面、５５３Ｂ、９１３Ｂ…貫通孔、５５４…第一迂回部、５５４１…第一起立部、５５４２…第二起立部、５５４３…湾曲部、５５５、９１５…第一案内部、５５５Ａ…突出片、５５５Ｂ…対向面、５６、９２…第二部材、５６１、９２１…第二接続部、５６１Ａ…貫通孔、５６２、９２２…第二延設部、５６３…第二導通部、５６３Ａ、９２２Ａ…第二導通面、５６３Ｂ、９２２Ｂ…貫通孔、５６４…第二迂回部、５６４１…第一起立部、５６４２…第二起立部、５６４３…湾曲部、５６５、９２５…第二案内部、５６５Ａ…突出片、５６５Ｂ…対向面、５７、９３…第三部材、５７１、９３１…第三部材本体、５７１Ａ、９３１Ａ…貫通孔、５７２、９３２…当接部、５８…接続部材、５９…締結部材、６…取付部材、６１…雄ねじ部、６２…頭部、７…端子台、７１…総端子、７１１…板状部材、７１１１…第一部位、７１１２…第二部位、７１２…ねじ部材、７１２１…雄ねじ部、７１２２…頭部、７２…基台部、７２１…側壁部、７２２…バスバ支持部、７２３…固定部、７３…端子カバー、８、８Ａ…絶縁プレート（絶縁部材）、８１…本体、８２…突出部、８３…第一凸部、８４…第二凸部、１０…蓄電素子、１０Ａ…第一の蓄電素子、１０Ｂ…第二の蓄電素子、１１…電極体、１２…ケース、１２０…ケース本体、１２１…蓋板、１２３…閉塞部、１２４…胴部、１３…外部端子、１００…バスバプレート、１０１…長穴、１０２…係合部、Ｂ…ボルト
【図１】
2017152373.tif 000003
【図２】
2017152373.tif 000004
【図３】
2017152373.tif 000005
【図４】
2017152373.tif 000006
【図５】
2017152373.tif 000007
【図６】
2017152373.tif 000008
【図７】
2017152373.tif 000009
【図８】
2017152373.tif 000010
【図９】
2017152373.tif 000011
【図１０】
2017152373.tif 000012
【図１１】
2017152373.tif 000013
【図１２】
2017152373.tif 000014
【図１３】
2017152373.tif 000015
【図１４】
2017152373.tif 000016
【図１５】
2017152373.tif 000017
【図１６】
2017152373.tif 000018
【図１７】
2017152373.tif 000019
【図１８】
2017152373.tif 000020
【図１９】
2017152373.tif 000021
【図２０】
2017152373.tif 000022
【図２１】
2017152373.tif 000023
【図２２】
2017152373.tif 000024
【図２３】
2017152373.tif 000025